(57)【特許請求の範囲】
【請求項１】
遊技機の動作に関わる電気的制御を実行するための電子部品とコネクタを実装した遊技制御基板を内包する基板ボックスを備えた遊技機において、
前記基板ボックスは、
第１ボックス形成部材と、第２ボックス形成部材と、からなるとともに、
前記第１ボックス形成部材と前記第２ボックス形成部材とを固着する固着手段を備え、
前記固着手段は、
前記第１ボックス形成部材から延設された連結部を介して設けられるかしめ部と、
前記第２ボックス形成部材から延設された連結部を介して設けられるかしめ受部と、を有するとともに、前記かしめ部と前記かしめ受部とが固着状態とされた場合には、前記連結部を破壊しない限りその固着状態を解除することができないように構成され、
前記かしめ部は、
前記かしめ受部と対向する側に開口した凹部と、
該凹部に収納され、前記開口から前記かしめ受部に向けて突出する固着部材と、
該固着部材をかしめ受部へ向けて付勢する付勢部材と、
前記凹部から外部に貫通する開口部と、
前記開口部に配置され、前記付勢部材の付勢力に抗して前記固着部材を前記凹部内に収納状態に保持するストッパと、を備え、
前記かしめ受部は、
前記かしめ部と対向する側に開口した固着凹部と、
前記固着凹部の内周面に形成され、前記固着部材を固着する係合受部と、を備え、
前記固着部材は、前記係合受部に係合可能な係合部を有し、
前記第１ボックス形成部材と前記第２ボックス形成部材とを組み合わせ、前記凹部の開口と前記固着凹部の開口とを対向させた状態で、前記ストッパが操作されて前記固着部材の収納状態が解除されると、前記付勢部材の付勢力により前記固着部材が前記固着凹部に突出し、当該固着凹部内において前記係合部が前記係合受部に係合する固着状態とされることで、前記第１ボックス形成部材と前記第２ボックス形成部材とが固着されることを特徴とする遊技機。
【請求項２】
前記固着凹部に、接着剤が封入された接着剤封入パッケージが収納される一方、前記固着部材には、前記接着剤封入パッケージを破壊し得る先端突起部が形成され、
前記ストッパが操作されて前記固着部材の収納状態が解除された場合に、前記付勢部材の付勢力により前記固着部材が前記固着凹部に突出し、前記固着部材の先端突起部が前記接着剤封入パッケージを破壊し、接着剤が前記固着凹部に流出することで前記固着部材が前記固着凹部に接着され、前記第１ボックス形成部材と前記第２ボックス形成部材とが固着されることを特徴とする請求項１に記載の遊技機。
【請求項３】
前記ストッパは、前記収納状態で前記固着部材の前記先端突起部が当接する位置に係止溝を備えることを特徴とする請求項１または２に記載の遊技機。
【請求項４】
前記かしめ部は、
前記開口部を前記第１ボックス形成部材における前記かしめ部が設けられた側面と交差する直線上に備え、前記ストッパが前記第１ボックス形成部材の側面と交差する方向に沿ってスライド可能に構成され、
前記ストッパは、
前記固着部材の先端部を挿通可能な固着部材挿通穴を備え、
前記収納状態では、一端が前記第１ボックス形成部材の側面に当接するとともに他端が前記かしめ部の外側面と面一に配され、かつ、前記固着部材挿通穴が前記先端突起部から退避した位置に配され、
該収納状態から前記第１ボックス形成部材の側面から離れる方向へスライドさせることで、前記固着部材挿通穴と前記先端突起部が一致して前記収納状態から前記固着状態に変換されることを特徴とする請求項１から３の何れか一項に記載の遊技機。
【請求項５】
前記かしめ部は、
前記開口部を前記第１ボックス形成部材における前記かしめ部が設けられた側面と交差する直線上に備え、前記ストッパが前記第１ボックス形成部材の側面と交差する方向に沿ってスライド可能に構成され、
前記ストッパは、
前記固着部材の先端部を挿通可能な固着部材挿通穴を備え、
前記収納状態では、一端が前記第１ボックス形成部材の側面から離れて配設されるとともに他端が前記かしめ部の外側面から突出して配され、かつ、前記固着部材挿通穴が前記先端突起部から退避した位置に配され、
該収納状態から前記第１ボックス形成部材の側面へ向けてスライドさせることで、一端が前記第１ボックス形成部材の側面に当接するとともに他端が前記かしめ部の外側面と面一に配され、かつ、前記固着部材挿通穴と前記先端突起部が一致して前記収納状態から前記固着状態に変換されることを特徴とする請求項１から３の何れか一項に記載の遊技機。
【請求項６】
前記ストッパは、切り離し可能な仮止突起を前記かしめ部の外側面に係合可能な位置に備えることを特徴とする請求項５に記載の遊技機。
【請求項７】
前記第１ボックス形成部材に複数の前記かしめ部を設けるとともに、前記第２ボックス形成部材に複数の前記かしめ部に対応する複数の前記かしめ受部を設け、
複数の前記かしめ部は、
前記開口部が一直線上に並ぶように配列され、該開口部に挿通されて複数の前記かしめ部にわたって延在する前記ストッパを備え、
前記ストッパを所定量スライドすることで、一の前記かしめ部では前記固着状態に変換されるとともに、他の前記かしめ部では前記収納状態が維持されるようにしたことを特徴とする請求項１から３の何れか一項に記載の遊技機。
【請求項８】
前記ストッパは、
複数の前記かしめ部の各々に配された前記固着部材に対応して複数設けられ、前記固着部材の先端部を挿通可能な固着部材挿通穴と、
隣接する固着部材挿通穴の間に設けられ、固着に使用した前記かしめ部と該かしめ部に隣接した未使用の前記かしめ部との間に配される脆弱性を有する切断領域と、を備え、
所定量スライドすることで、一の前記固着部材挿通穴と前記先端突起部が一致して前記収納状態から前記固着状態に変換されるとともに、他の前記固着部材挿通穴と前記先端突起部は一致せず前記収納状態が維持されるように構成され、
前記基板ボックスの固着を解除する際には、固着に使用した前記かしめ部に隣接する前記切断領域を切断することを特徴とする請求項７に記載の遊技機。
【請求項９】
前記ストッパは、隣接する前記かしめ部の間に位置する切断可能な部分に、切断されたことを検出するための検出手段を備えることを特徴とする請求項８に記載の遊技機。
【発明の詳細な説明】
【技術分野】
【０００１】
本発明は、遊技機の動作に関わる電気的制御を実行するための電子部品とコネクタを実装した遊技制御基板を内包する基板ボックスを備えた遊技機に関する。
【背景技術】
【０００２】
従来、遊技制御基板を収納する基板ボックスは、基板を収納した状態で収納部材とベース部材とをスライド等により取り付け、特殊な工具（例えばドライバー）を使用して単方向ネジ（ワンウェイねじ）を締めて固定し、さらにその上から樹脂製のビス押さえ部材（封印キャップ）を嵌め込んで、特殊な溶着（例えば超音波溶着）によってビス押さえ部材（封印キャップ）を強固に取り付けるようにしている。
【０００３】
また、基板を収容したケース体とカバー体とをより強固に固着するため、制御基板を収容したケース体にカバー体を被着して、カバー体のピン装着台に設けられた移動可能な押圧ピンを押圧動作して、ケース体の固定台に設けられた接着剤入りカプセルを破壊して、流出した接着剤によって押圧ピンを固定台に固着するようにした基板ボックスも提案されている（例えば、特許文献１参照）。
【特許文献１】特開２００２−２５３８１１号公報
【発明の開示】
【発明が解決しようとする課題】
【０００４】
しかし、上記のような従来の基板ボックスの構成では、単方向ネジを締めて固定した後、さらにその上から特殊な溶着によって固着を行っているので、かしめを行う際の作業工程が煩雑であるという問題があった。また、基板ボックスを開放する際、１つのかしめ構造を破壊して検査等を行い、再閉塞する際には、再度同様の操作を行わないとかしめが行えず、その都度特殊な工具等を使用するため、作業効率が悪く、非常に手間のかかる作業であった。
【０００５】
また、特許文献１のような固着方法を用いようとした場合、ごく小さい押圧部分に対して叩き込む等の押圧動作を行うため作業が困難であり、また、その周辺にわたって押圧動作を行ってしまう虞が高く、基板ボックス自体の破壊や、固着部分周辺に破損、摩耗の可能性がある等、多くの問題を生じることになってしまう。
【０００６】
本発明の目的は、遊技機の動作に関わる電気的制御を実行するための電子部品とコネクタを実装した遊技制御基板を内包する基板ボックスを備えた遊技機において、かしめを容易かつ確実に行えるようにするとともに、不正行為を確実に防止できるようにすることである。
【課題を解決するための手段】
【０００７】
以上の課題を解決するため、請求項１に記載の発明は、遊技機の動作に関わる電気的制御を実行するための電子部品とコネクタを実装した遊技制御基板を内包する基板ボックスを備えた遊技機において、
前記基板ボックスは、
第１ボックス形成部材と、第２ボックス形成部材と、からなるとともに、
前記第１ボックス形成部材と前記第２ボックス形成部材とを固着する固着手段を備え、
前記固着手段は、
前記第１ボックス形成部材から延設された連結部を介して設けられるかしめ部と、
前記第２ボックス形成部材から延設された連結部を介して設けられるかしめ受部と、を有するとともに、前記かしめ部と前記かしめ受部とが固着状態とされた場合には、前記連結部を破壊しない限りその固着状態を解除することができないように構成され、
前記かしめ部は、
前記かしめ受部と対向する側に開口した凹部と、
該凹部に収納され、前記開口から前記かしめ受部に向けて突出する固着部材と、
該固着部材をかしめ受部へ向けて付勢する付勢部材と、
前記凹部から外部に貫通する開口部と、
前記開口部に配置され、前記付勢部材の付勢力に抗して前記固着部材を前記凹部内に収納状態に保持するストッパと、を備え、
前記かしめ受部は、
前記かしめ部と対向する側に開口した固着凹部と、
前記固着凹部の内周面に形成され、前記固着部材を固着する係合受部と、を備え、
前記固着部材は、前記係合受部に係合可能な係合部を有し、
前記第１ボックス形成部材と前記第２ボックス形成部材とを組み合わせ、前記凹部の開口と前記固着凹部の開口とを対向させた状態で、前記ストッパが操作されて前記固着部材の収納状態が解除されると、前記付勢部材の付勢力により前記固着部材が前記固着凹部に突出し、当該固着凹部内において前記係合部が前記係合受部に係合する固着状態とされることで、前記第１ボックス形成部材と前記第２ボックス形成部材とが固着されることを特徴とする。
【０００８】
ここで、「遊技制御基板」は、遊技機の動作に関わる制御を行うものであれば何でも良く、例えば、遊技の進行を制御するメイン基板や、遊技球の払い出しを制御する排出制御基板である。
【０００９】
請求項１に記載の発明によれば、固着部材を凹部内に収納状態に保持するストッパを備え、該ストッパが操作されて固着部材の収納状態が解除されることにより、第１ボックス形成部材と第２ボックス形成部材が固着されるので、容易に固着を行うことができ、作業の効率が向上する。また、このようにストッパを操作するだけで固着作業が完了するので、第１ボックス形成部材と第２ボックス形成部材とを確実に固着することができ、不正行為を確実に防止できる。
【００１０】
請求項２の発明は、請求項１に記載の遊技機であって、前記固着凹部に、接着剤が封入された接着剤封入パッケージが収納される一方、前記固着部材には、前記接着剤封入パッケージを破壊し得る先端突起部が形成され、
前記ストッパが操作されて前記固着部材の収納状態が解除された場合に、前記付勢部材の付勢力により前記固着部材が前記固着凹部に突出し、前記固着部材の先端突起部が前記接着剤封入パッケージを破壊し、接着剤が前記固着凹部に流出することで前記固着部材が前記固着凹部に接着され、前記第１ボックス形成部材と前記第２ボックス形成部材とが固着されることを特徴とする。
【００１１】
ここで、「接着剤」は、封入が破壊されてから比較的短時間で硬化するものであれば良く、例えば、封入が破壊されることで外気に触れて硬化する接着剤や、別々に封入された２液が封入の破壊により混合されて硬化する接着剤を用いることができる。
【００１２】
請求項２の発明によれば、ストッパが操作されて固着部材の収納状態が解除された場合に、固着部材が突出して接着剤封入パッケージを破壊し、固着凹部内に接着されるのに加え、係合部が係合受部に係合して固着凹部内に係止されることで第１ボックス形成部材と第２ボックス形成部材が固着されるので、強固なかしめが可能となり、不正行為を確実に防止できる。
【００１３】
請求項３に記載の発明は、請求項１または２に記載の遊技機であって、前記ストッパは、前記収納状態で前記固着部材の前記先端突起部が当接する位置に係止溝を備えることを特徴とする。
【００１４】
請求項３に記載の発明によれば、ストッパは、収納状態で固着部材の先端突起部が当接する位置に係止溝を備えるので、ストッパにわずかな力が加わっただけでは固着状態に変換されずに収納状態が保持されるので、遊技機の搬送時や設置時に誤って操作してしまうことを防止できる。
また、かしめ部の組み立て時には、先端突起部が係止溝に嵌ることにより、その際の音や感触から収納状態になったことを確実に把握でき、作業の効率が向上する。
【００１５】
請求項４に記載の発明は、請求項１から３の何れか一項に記載の遊技機であって、前記かしめ部は、
前記開口部を前記第１ボックス形成部材における前記かしめ部が設けられた側面と交差する直線上に備え、前記ストッパが前記第１ボックス形成部材の側面と交差する方向に沿ってスライド可能に構成され、
前記ストッパは、
前記固着部材の先端部を挿通可能な固着部材挿通穴を備え、
前記収納状態では、一端が前記第１ボックス形成部材の側面に当接するとともに他端が前記かしめ部の外側面と面一に配され、かつ、前記固着部材挿通穴が前記先端突起部から退避した位置に配され、
該収納状態から前記第１ボックス形成部材の側面から離れる方向へスライドさせることで、前記固着部材挿通穴と前記先端突起部が一致して前記収納状態から前記固着状態に変換されることを特徴とする。
【００１６】
請求項４に記載の発明によれば、ストッパは、収納状態では一端が第１ボックス形成部材の側面に当接するとともに他端がかしめ部の外側面と面一に配され、第１ボックス形成部材の側面から離れる方向へスライドさせることで、固着状態に変換されるので、単にストッパに接触しただけでは固着状態に変換されず、誤って操作してしまうことを防止できる。
また、かしめ部の組み立て時には、ストッパを第１ボックス形成部材の側壁に当接するまで押し込めばよく、容易かつ確実に収納状態にセットできる。
【００１７】
請求項５に記載の発明は、請求項１から３の何れか一項に記載の遊技機であって、前記かしめ部は、
前記開口部を前記第１ボックス形成部材における前記かしめ部が設けられた側面と交差する直線上に備え、前記ストッパが前記第１ボックス形成部材の側面と交差する方向に沿ってスライド可能に構成され、
前記ストッパは、
前記固着部材の先端部を挿通可能な固着部材挿通穴を備え、
前記収納状態では、一端が前記第１ボックス形成部材の側面から離れて配設されるとともに他端が前記かしめ部の外側面から突出して配され、かつ、前記固着部材挿通穴が前記先端突起部から退避した位置に配され、
該収納状態から前記第１ボックス形成部材の側面へ向けてスライドさせることで、一端が前記第１ボックス形成部材の側面に当接するとともに他端が前記かしめ部の外側面と面一に配され、かつ、前記固着部材挿通穴と前記先端突起部が一致して前記収納状態から前記固着状態に変換されることを特徴とする。
【００１８】
請求項５に記載の発明によれば、ストッパは、収納状態では一端が第１ボックス形成部材の側面から離れて配設されるとともに他端がかしめ部の外側面から突出して配され、第１ボックス形成部材の側面へ向けてスライドさせることで、一端が第１ボックス形成部材の側面に当接するとともに他端がかしめ部の外側面と面一に配され、固着状態に変換されるので、単に押し込むだけでかしめが完了するので作業性が良い。
また、ストッパを押し込んだ状態ではかしめ部の外側面と面一になるので、かしめが完了した状態のストッパに対して操作できなくなり、不正行為を防止することができる。
【００１９】
請求項６に記載の発明は、請求項５に記載の遊技機であって、前記ストッパは、切り離し可能な仮止突起を前記かしめ部の外側面に係合可能な位置に備えることを特徴とする。
【００２０】
請求項６に記載の発明によれば、ストッパは、切り離し可能な仮止突起をかしめ部の外側面に係合可能な位置に備えるので、仮止突起を切り離さなければ固着状態に変換できないようになり、遊技機の搬送時や設置時に誤って操作してしまうことを防止できる。
また、仮止突起が切り離されたことから、何らかの操作が行われたことを確認でき、不正行為の早期発見が可能となる。
【００２１】
請求項７に記載の発明は、請求項１から３の何れか一項に記載の遊技機であって、前記第１ボックス形成部材に複数の前記かしめ部を設けるとともに、前記第２ボックス形成部材に複数の前記かしめ部に対応する複数の前記かしめ受部を設け、
複数の前記かしめ部は、
前記開口部が一直線上に並ぶように配列され、該開口部に挿通されて複数の前記かしめ部にわたって延在する前記ストッパを備え、
前記ストッパを所定量スライドすることで、一の前記かしめ部では前記固着状態に変換されるとともに、他の前記かしめ部では前記収納状態が維持されるようにしたことを特徴とする。
【００２２】
請求項７に記載の発明によれば、ストッパを所定量スライドすることで、一のかしめ部では固着状態に変換されるとともに、他のかしめ部では収納状態が維持されるようにしたので、複数のかしめ部を一つのストッパの操作により適切に制御でき、操作性に優れる。
【００２３】
請求項８に記載の発明は、請求項７に記載の遊技機であって、前記ストッパは、
複数の前記かしめ部の各々に配された前記固着部材に対応して複数設けられ、前記固着部材の先端部を挿通可能な固着部材挿通穴と、
隣接する固着部材挿通穴の間に設けられ、固着に使用した前記かしめ部と該かしめ部に隣接した未使用の前記かしめ部との間に配される脆弱性を有する切断領域と、を備え、
所定量スライドすることで、一の前記固着部材挿通穴と前記先端突起部が一致して前記収納状態から前記固着状態に変換されるとともに、他の前記固着部材挿通穴と前記先端突起部は一致せず前記収納状態が維持されるように構成され、
前記基板ボックスの固着を解除する際には、固着に使用した前記かしめ部に隣接する前記切断領域を切断することを特徴とする。
【００２４】
請求項８に記載の発明によれば、ストッパは、固着に使用したかしめ部と該かしめ部に隣接した未使用のかしめ部との間に配される脆弱性を有する切断領域を備えるので、容易に切断することができる。
また、基板ボックスの固着を解除する際には、固着に使用した前記かしめ部に隣接する前記切断領域を切断するようにしたので、固着作業が容易かつ確実になる。
すなわち、一の固着部材挿通穴が固着状態にあるときは、他の固着部材挿通穴は収納状態にあり、切断領域を切断してストッパを操作するまでは他の固着部材挿通穴が固着状態に変換されることはなく、固着作業時に複数のかしめ部が固着されてしまうことなどを防止できる。また、ストッパのスライド幅を規制する部材を設ける必要がないため構成が簡略化される。
【００２５】
請求項９に記載の発明は、請求項８に記載の遊技機であって、隣接する前記かしめ部の間に位置する切断可能な部分に、切断されたことを検出するための検出手段を備えることを特徴とする。
【００２６】
ここで、「検出手段」は、例えば、ＩＣタグや回路であって、ストッパを切断することで破壊されるようにする。
【００２７】
請求項９に記載の発明によれば、不正なストッパの切断を早期に発見でき、被害を未然に防ぐことができる。また、係員が目視で確認しにくい部分を切断されても確実に切断されたことを発見できる。
【発明の効果】
【００２８】
本発明によれば、固着部材を凹部内に収納状態に保持するストッパを備え、該ストッパが操作されて固着部材の収納状態が解除されることにより、第１ボックス形成部材と第２ボックス形成部材が固着されるので、容易に固着を行うことができ、作業の効率が向上する。また、このようにストッパを操作するだけで固着作業が完了するので、第１ボックス形成部材と第２ボックス形成部材とを確実に固着することができ、不正行為を確実に防止できる。
【発明を実施するための最良の形態】
【００２９】
以下、この発明の第１の実施形態について図面を参照して説明する。
ここでは、本発明にかかる遊技機の適例としてのパチンコ遊技機について図１から図６を用いて説明を行う。
【００３０】
図１に示すように、本実施形態の遊技機１００は、矩形枠状に構成された機枠１１０を備え、この機枠１１０の前方には、該機枠１１０に対し回動可能に矩形枠状の前面枠１２０が軸支されている。なお、図１は機枠１１０を有する遊技機１００全体の背面側を示している。
【００３１】
また、前面枠１２０は、当該前面枠１２０に備えられる各種部材等の取付用のベースとなる前面枠本体１３０と、当該前面枠本体１３０に対して、その前面側に回動可能に軸支されたクリア部材保持枠（図示略）と、クリア部材保持枠の下側に取り付けられた発射操作を行うための発射操作ユニット（図示略）とを有する。
【００３２】
前面枠本体１３０は、矩形枠状の機枠１１０の前面側をちょうど覆うような概略矩形板状に構成されるとともに、その中央から上端部に渡る部分に後述する遊技盤１を嵌め込んで収容するための方形状の開口部が形成されている。そして、前面枠本体１３０に収容された遊技盤１の前面が前面枠本体１３０の開口部から前側に臨むようになっている。すなわち遊技盤１は、前面枠本体１３０に嵌め込まれることで前面枠１２０に取り付けられている。
【００３３】
この前面枠本体１３０の遊技盤１が嵌め込まれた開口部、すなわち、前面枠本体１３０の中央より少し下側から上端部にわたる部分には、前面枠本体１３０の前側を覆うように図示しないクリア部材保持枠が配置されている。そして、遊技盤１の前面とクリア部材保持枠に嵌め込まれたクリア部材としてのガラス板との間であって、遊技盤１の前面に設けられたガイドレール（図示略）に囲まれた部分が、遊技球が発射されて流下する遊技領域（図示略）とされ、この遊技領域内に遊技球（打球；遊技媒体）を発射して遊技を行うようになっている。
【００３４】
また、前面枠本体１３０の前面側のクリア部材保持枠の下側に取り付けられた発射操作ユニットは、排出された遊技球を貯留するとともに、遊技球を発射する発射装置に遊技球を送る上皿と、上皿に収容しきれない遊技球を収容する下皿及び灰皿と、遊技領域に向けての遊技球の発射操作を行うとともに、発射勢を調節するための操作ハンドルなどが設けられている。
【００３５】
また、前面枠本体１３０の裏面側には、遊技機１００としての諸機能を実現するための機構として、例えば、島設備より供給される遊技球を貯留する貯留タンク１０１や、球貸要求に応じた球排出や賞球排出を行う排出装置１０２や、遊技盤１に設けられた各種入賞口へ入賞して回収された遊技球や何れの入賞口にも入賞せずにアウト口から回収された遊技球を機外の回収球搬送路へ導く遊技球回収機構などが設けられている。また、遊技盤１に設けた遊技装置の動作制御などを行うことで遊技の進行を統括的に制御する遊技制御装置１０、球排出や打球の発射制御を行う排出・発射制御装置１０３、各部へ所定の電源を供給する電源装置１０４等が設けられている。なお、本実施形態における遊技制御装置１０は、遊技盤１の裏面下方部に装着される遊技盤裏面構成部材１０５に着脱可能に取り付けられている。
【００３６】
次に、遊技制御装置１０の詳細な構造について、図２から図６を参照して説明する。遊技制御装置１０は、遊技機１００の制御を行う遊技制御基板１１を基板ボックス１２に収納したものであって、遊技盤１の裏面側に取り付けられている。なお、遊技制御装置１０は遊技盤１の裏面に取り付けられ、該遊技盤１が前面枠本体１３０に取り付けられることで、遊技機１００の裏面側から視認可能に配されるようになっている。よって、以下の説明では、図１に示すように、遊技機１００の裏面側に配された遊技制御装置１０を遊技機１００の裏面側から見た状態を基準として、遊技機１００の裏面側から視認可能な面を前面（正面）、遊技盤１に取り付けられた側を後面とし、上下左右も遊技機１００の裏面側から見た状態での上下左右とする。
【００３７】
図２，３に示すように、遊技制御基板１１は矩形板状の基板であって、一側面には他の装置と接続するための複数のコネクタ１３，１３，…が設けられているとともに、図示しない電子部品が配されている。この遊技制御基板１１においては、例えば、大当たりの抽選や、遊技に関する種々の処理がなされるようになっており、このような制御を行う遊技制御基板１１に対する不正行為を防止するために、遊技制御基板１１は基板ボックス１２に収納されている。
【００３８】
遊技制御基板１１を収納する基板ボックス１２は、遊技制御装置１０の前面側を構成する第１ボックス形成部材２０と、後面側を構成する第２ボックス形成部材４０とからなり、第１ボックス形成部材２０と第２ボックス形成部材４０とを組み合わせることで形成される収納部に遊技制御基板１１を収納するようになっている。また、この第１ボックス形成部材２０と第２ボックス形成部材４０は後述する固着手段６０によって固着可能であって、これにより、遊技制御基板１１が基板ボックス１２に完全に内包された状態となり、遊技制御基板１１に対する不正行為を防止するようになっている。さらに、この基板ボックス１２を構成する第１ボックス形成部材２０、第２ボックス形成部材４０は、透光性の合成樹脂で形成されており、内部に収納した遊技制御基板１１を視認可能となっている。
【００３９】
遊技制御装置１０の前面側を形成する第１ボックス形成部材２０は、遊技制御装置１０の前面をなす略矩形状の前面壁２１と、該前面壁２１の周囲を囲むように一側面側に垂直に突出し、遊技制御装置１０の前側の側面をなす前部周囲壁２２とを備えており、これら前面壁２１と前部周囲壁２２とから遊技制御基板１１を収納可能な凹室状の前方収納部２３を備えた略矩形箱状に形成されている。
【００４０】
この第１ボックス形成部材２０における遊技制御基板１１と対向する前面壁２１には、ここに収納される遊技制御基板１１のコネクタ１３，１３，…が設けられた部分に合わせて、開口側へ膨出する段部２４，２４，…が形成され、該段部２４，２４，…にはコネクタ挿通開口部２５，２５，…が設けられている。このコネクタ挿通開口部２５，２５，…には、基板ボックス１２に収納された遊技制御基板１１のコネクタ１３，１３，…が挿入されて遊技制御装置１０の前面側に露出するようになっており、これによって遊技制御基板１１への配線が可能となっている。
【００４１】
また、コネクタ１３，１３，…がコネクタ挿通開口部２５，２５，…に挿入されることで、遊技制御基板１１は上下左右方向への移動が規制されるようになり、さらには、段部２４，２４，…に遊技制御基板１１の前面が当接し、遊技制御基板１１の前方への移動が規制される。すなわち、この段部２４，２４，…およびコネクタ挿通開口部２５，２５，…は、第１ボックス形成部材２０に対する遊技制御基板１１の位置決めを行う機能も有する。なお、遊技制御基板１１に設けるコネクタ１３，１３，…は一部分に集中させないで、複数箇所に分散して設けられており、遊技制御基板１１が適切な位置に確実に保持されるようにされている。
【００４２】
また、矩形箱状の第１ボックス形成部材２０における前部周囲壁２２のうち、上下の前部周囲壁２２における外側の面には、前部周囲壁２２に対して垂直に外側に突出する直方体状のスライド係合部２６，２６，…が複数形成されている。このスライド係合部２６，２６，…は、後述する第２ボックス形成部材４０に形成されたスライド係合受部４６，４６，…に係合可能であり、これにより第１ボックス形成部材２０と第２ボックス形成部材４０とが接合されるようになっている。また、矩形箱状の第１ボックス形成部材２０における前部周囲壁２２のうち、左側の前部周囲壁２２における外側の面には、前部周囲壁２２に対して垂直に外側に突出する直方体状の挿入係合部（図示略）が形成されている。この挿入係合部は、後述する第２ボックス形成部材４０に形成された挿入係合受部４７，４７に挿入されることで係合し、これによっても第１ボックス形成部材２０と第２ボックス形成部材４０とが接合されるようになっている。
【００４３】
また、上側の前部周囲壁２２における外側の面には、第２ボックス形成部材４０に形成された係止片４８と係合可能な係止部２７ａを備える係止部材２７が設けられており、これによって第１ボックス形成部材２０と第２ボックス形成部材４０を接合した状態で保持できるようになっている。これらスライド係合部２６、挿入係合部、係止部材２７による第１ボックス形成部材２０と第２ボックス形成部材４０の接合の詳細については後述する。
【００４４】
また、第１ボックス形成部材２０の右側の前部周囲壁２２には、外側に向かって膨出するかしめ部配設部２８が形成され、このかしめ部配設部２８の右側の側面に、複数（例えば４つ）のかしめ部３０，３０，…がそれぞれ第１ボックス形成部材２０から延設された連結部２９，２９，…を介して設けられている。このかしめ部３０，３０，…は、後述するように取り外し不可能な方法で第１ボックス形成部材２０と第２ボックス形成部材４０とを固着するためのものである。なお、このかしめ部配設部２８は、右側の前部周囲壁２２の略前面を右側に膨出するように形成されており、このかしめ部配設部２８の右側の側面が第１ボックス形成部材２０の右側の側面を形成している。
【００４５】
遊技制御装置１０の後面側を形成する第２ボックス形成部材４０は、遊技制御装置１０の後面をなす略矩形状の後面壁４１と、該後面壁４１の周囲を囲むように一側面側に垂直に突出し、遊技制御装置１０の後ろ側の側面をなす後部周囲壁４２とを備えており、これら後面壁４１と後部周囲壁４２とから遊技制御基板１１を収納可能な凹室状の後方収納部４３を備えた略矩形箱状に形成されている。
【００４６】
この後方収納部４３は、前方収納部２３の後端部分を収容可能な大きさであって、これによって凹室状の前方収納部２３が閉鎖されて収納部が形成されるようになっている。より詳細には、後方収納部４３の内部空間の上下幅は前方収納部２３における上側の前部周囲壁２２の外周面から下側の前部周囲壁２２の外周面までの幅に略等しく、左右幅は前方収納部２３における右側の前部周囲壁２２の外周面から左側の前部周囲壁２２の外周面までの幅に、かしめ部配設部２８の左右幅を加えた幅に略等しい。すなわち、第２ボックス形成部材４０は、第１ボックス形成部材２０よりも後部周囲壁４２の厚みの分だけ一回り大きく形成されている。
【００４７】
また、後方収納部４３の底面をなす後面壁４１の前面には、上側の後部周囲壁４２と平行なリブ状の上部案内壁４４が形成され、上側の前部周囲壁２２が左右方向にスライド可能に嵌合するスライド溝が形成されている。また同様に、下側の後部周囲壁４２と平行なリブ状の下部案内壁４５が形成され、下側の前部周囲壁２２が左右方向にスライド可能に嵌合するスライド溝が形成されている。
【００４８】
また、上下の後部周囲壁４２における外側の面には、第１ボックス形成部材２０に形成されたスライド係合部２６，２６，…と対応する位置に、該スライド係合部２６，２６，…を受け入れるスライド係合受部４６，４６，…が形成されている。このスライド係合受部４６，４６，…は、上下の後部周囲壁４２に形成されたＬ字状のスリット４６ａと、該スリット４６ａが形成された部分の外側を覆うカバー部４６ｂとからなる。Ｌ字状のスリット４６ａは、後部周囲壁４２の前端に一端部が位置しており、ここから前後方向に沿って後方へ延在し、さらに直角に左方へ屈折して左右方向に沿って延在するように形成されている。そして、後部周囲壁４２の前端に位置する一端部が、スライド係合部２６を受け入れる受入部とされ、スリット４６ａの外側を覆うカバー部４６ｂにも、この部分に切欠状の開口が形成されている。
【００４９】
また、左側の後部周囲壁４２には、第１ボックス形成部材２０に形成された挿入係合部（図示略）と対応する位置に、該挿入係合部を受け入れる挿入係合受部４７，４７が形成されている。この挿入係合受部４７，４７は、左側の後部周囲壁４２に挿入係合部を挿通可能な貫通孔４７ａを備えており、後述するように、第１ボックス形成部材２０と第２ボックス形成部材４０とを組み合わせた状態で第１ボックス形成部材２０を左方向へスライドすることにより、貫通孔４７ａに挿入係合部が挿入されるようになっている。
【００５０】
また、上側の後部周囲壁４２における外側の面には、第１ボックス形成部材２０に設けられた係止部２７ａと対応する位置に、係止片４８が形成されている。この係止片４８は、外側へ向かって突出する突条であって、右側面が左側へ向かって後部周囲壁４２からの突出量が増加する斜面とされ、左側面は後部周囲壁４２に対して垂直な面とされている。この係止片４８と係止部２７ａによって、後述するように、第１ボックス形成部材２０と第２ボックス形成部材４０とが接合した状態が保持される。
【００５１】
また、第２ボックス形成部材４０における右側の後部周囲壁４２の外周面には、第１ボックス形成部材２０に設けられたかしめ部３０，３０，…に対応するように複数（例えば４つ）のかしめ受部５０，５０，…が、それぞれ第２ボックス形成部材４０から延設された連結部４９，４９，…を介して設けられている。このかしめ受部５０，５０，…は、第１ボックス形成部材２０と第２ボックス形成部材とを接合させることによってかしめ部３０，３０，…と対向するように配され、固着が可能な状態となる。
【００５２】
以上のような構成を有する基板ボックス１２は、第１ボックス形成部材２０の前方収納部２３の開口と、第２ボックス形成部材４０の後方収納部４３の開口とが対向する向きで、間に遊技制御基板１１を挟んだ状態で接合される。この接合の際にはまず、第１ボックス形成部材２０のスライド係合部２６，２６，…を、第２ボックス形成部材４０のスライド係合受部４６，４６，…に嵌め込むようにする。これにより、前方収納部２３の後端部分が後方収納部４３に収容されるとともに、上下の前部周囲壁２２がスライド溝に嵌合する。
【００５３】
そしてこの状態で、第１ボックス形成部材２０を図示しない挿入係合部が形成された左方向へスライドさせることで、スライド係合部２６，２６，…とスライド係合受部４６，４６，…が係合するとともに、挿入係合部が挿入係合受部４７，４７に挿入されて係合した状態となる。これにより、第１ボックス形成部材２０と第２ボックス形成部材４０とが接合した状態となり、遊技制御基板１１は第１ボックス形成部材２０の前方収納部２３と第２ボックス形成部材４０の後方収納部４３から構成される収納部に収納された状態となる。
【００５４】
また、第１ボックス形成部材２０に設けられた係止部２７ａは、上述のように第１ボックス形成部材２０を左方向にスライドさせる過程で係止片４８の右側面の斜面に当接し、さらに左方向にスライドすることで、係止部材２７が弾性変形して係止部２７ａが係止片４８の斜面に沿って案内される。そして、係止部２７ａが係止片４８を乗り越えると、弾性変形していた係止部材２７が元の状態に復帰し、係止片４８の垂直な左端面に係止部２７ａが係止される。このように係止部２７ａが係止片４８を乗り越えた状態となるのは、ちょうど第１ボックス形成部材２０が第２ボックス形成部材４０と接合された状態となったときであって、この位置で係止部２７ａが係止されることで、第１ボックス形成部材２０と第２ボックス形成部材４０とが接合された状態で保持されることとなる。
【００５５】
このように第１ボックス形成部材２０と第２ボックス形成部材４０とが接合した状態では、固着手段６０をなすかしめ部３０，３０，…とかしめ受部５０，５０，…とが対向するように配され、固着可能な状態となる。なお、固着手段６０による固着を行う前であれば、係止部材２７を弾性変形させて係止片４８による係止部２７ａの係止状態を解除し、第１ボックス形成部材２０を右方向へスライドさせることで、第１ボックス形成部材２０と第２ボックス形成部材４０の接合状態を解除することができる。
【００５６】
固着手段６０は、第１ボックス形成部材２０の右側面に設けられたかしめ部３０，３０，…と、第２ボックス形成部材４０の右側面にかしめ部３０，３０，…と対応するように設けられたかしめ受部５０，５０，…とから構成されるものである。このかしめ部３０，３０，…とかしめ受部５０，５０，…は、図５（ａ）に示すように第１ボックス形成部材２０と第２ボックス形成部材４０とを接合することにより対向して配されるようになっている。
【００５７】
図４に示すように、かしめ部３０，３０，…は、かしめ部配設部２８の右側面に一列に並んで４つ設けられており、前方収納部２３と同じ側（後方側）に開口する凹部３２を備えるかしめ部本体３１と、該凹部３２の内部に収容される付勢部材３３と固着部材３４、該固着部材３４を係止するストッパ３７とを備える。なお、本実施形態の遊技機１００では、かしめ部３０が４つ設けられているが、各かしめ部３０の構成は同じであり、以下、一つのかしめ部３０の構成について説明する。
【００５８】
凹部３２は第１ボックス形成部材２０の前後方向に沿って延在し、前方収納部２３と同じ側に開口する円筒形の空間である。この凹部３２に収納される固着部材３４は、凹部３２の内径と略等しい円形板状のベース部３５と、該ベース部３５の中心から板面に対して垂直に延出する固着部３６とを備え、固着部３６が凹部３２の開口方向へ延出するような向きで凹部３２に収納されている。また、付勢部材３３は、円筒形の凹部３２の内径と略等しい外径を有する圧縮コイルばねであって、凹部３２の底部と固着部材３４のベース部３５との間に配され、固着部材３４を凹部３２の開口方向（後方向）に付勢するようになっている。
【００５９】
固着部３６の先端部は、二つに分かれているとともに分かれた先端部の各々が尖った形状となった先端突起部３６ａとされている。また、固着部３６の先端部の側面には、後述するかしめ受部５０，５０，…に形成された係合受部５５に係合する係合部３６ｂ，３６ｂが、外側へ突出するように形成されている。この先端突起部３６ａの頂点とその側方に突出する係合部３６ｂ，３６ｂは、同じ平面上に位置するように形成されており、固着部材３４は、この平面が第１ボックス形成部材２０の上下方向に沿って配されるようになっている。さらに、この固着部材３４は、図示しないガイド手段によって、凹部３２内で固着部３６の延在方向に沿った軸を中心として回転しないようにガイドされた状態で前後動可能とされ、常に先端突起部３６ａの頂点とその側方に突出する係合部３６ｂ，３６ｂが位置する平面が、第１ボックス形成部材２０の上下方向に沿った状態となるようにされている。
【００６０】
図５（ａ）に示すように、かしめ部本体３１における凹部３２の側壁には、開口部３８，３８が形成され、この開口部３８，３８に板状のストッパ３７が挿通されている。開口部３８，３８は、かしめ部本体３１の外側の面から凹部３２に貫通する貫通穴であって、後述する板状のストッパ３７の断面形状に合わせて形成され、ストッパ３７を挿通可能とされている。この開口部３８，３８は、かしめ部本体３１の側壁に二つ形成されており、この二つの開口部３８，３８は、凹部３２を挟んで対向するとともに第１ボックス形成部材２０の左右方向に沿った直線上に位置するように形成されている。
【００６１】
ストッパ３７は板状の部材であって、収納状態において固着部３６の先端突起部３６ａが収まる係止溝３７ａと、固着状態において固着部３６を挿通可能な貫通穴である固着部材挿通穴３７ｂとを備える。このストッパ３７は、上述した二つの開口部３８，３８に挿通されることで、開口部３８，３８の配列方向である第１ボックス形成部材２０の左右方向に沿ってスライド可能な状態で、凹部３２の開口を閉鎖するように凹部３２内に配されるようになっている。
【００６２】
このストッパ３７のスライド方向に沿った幅は、かしめ部配設部２８の右側面から、かしめ部本体３１の右端をなす側壁の外側の面までの幅となっている。よってストッパ３７は、一端部をかしめ部配設部２８の側部に当接するまで押し込んだ状態とすると、対向する他端部が、ちょうどかしめ部本体３１の側壁における外側の面と一致するようになっている。そして、この押し込まれた状態では、固着部材３４を凹部３２内に係止した収納状態を構成するようになっており、この収納状態から、図５（ｃ）に示すように、ストッパ３７をかしめ部配設部２８から離れる方向（右方向）へスライドさせることで固着部材３４の係止を解除した固着状態へ変換されるようになっている。
【００６３】
また、図３に示すように、ストッパ３７には、固着部材３４を凹部３２内に押し込み付勢部材３３を退縮させた状態で、ストッパ３７を一端部がかしめ部配設部２８に当接するまで押し込んだ状態とした際に、固着部３６の先端突起部３６ａと対向する上面に係止溝３７ａが形成されている。この係止溝３７ａは、先端突起部３６ａが嵌り込むことが可能な形状の窪みであって、この係止溝３７ａに先端突起部３６ａが嵌り込むことで、固着部材３４が安定して係止されるとともに、ストッパ３７のスライド移動も規制され、確実に収納状態が保持されるようになっている。
【００６４】
また、ストッパ３７には、係止溝３７ａに隣接した位置に固着部材挿通穴３７ｂが形成されている。この固着部材挿通穴３７ｂは、上述した収納状態では、図５（ｂ）に示すように、先端突起部３６ａから退避した位置に配されるが、図５（ｃ）に示すように、ストッパ３７をスライドすることにより先端突起部３６ａと一致するように配され、先端突起部３６ａを備える固着部３６が固着部材挿通穴３７ｂを通過して開口側に突出可能な固着状態とするものである。このような固着部材挿通穴３７ｂは、ストッパ３７をかしめ部配設部２８から離れる方向（右方向）へスライドさせることで先端突起部３６ａと一致するように、係止溝３７ａからスライド方向に沿ってかしめ部配設部２８に当接する一端側に離れた位置に形成されている。
【００６５】
以上のことから、ストッパ３７は、収納状態で固着部材３４の先端突起部３６ａが当接する位置に係止溝３７ａを備えていることとなる。
【００６６】
また、かしめ部３０，３０，…は、開口部３８，３８を第１ボックス形成部材２０におけるかしめ部３０，３０，…が設けられた側面（かしめ部配設部２８の側面）と交差する直線上に備え、ストッパ３７が第１ボックス形成部材２０の側面と交差する方向に沿ってスライド可能に構成され、ストッパ３７は、固着部材３４の先端部（固着部３６）を挿通可能な固着部材挿通穴３７ｂを備え、収納状態では、一端が第１ボックス形成部材２０の側面に当接するとともに他端がかしめ部３０の外側面と面一に配され、かつ、固着部材挿通穴３７ｂが先端突起部３６ａから退避した位置に配され、収納状態から第１ボックス形成部材２０の側面から離れる方向へスライドさせることで、固着部材挿通穴３７ｂと先端突起部３６ａが一致して収納状態から固着状態に変換されるようにしたこととなる。
【００６７】
また、凹部３２に対して右側に位置する開口部３８は、側壁の外側の面における上側の周縁が面取りされ、かしめ部本体３１の側壁における外側の面と一致した状態に配されたストッパ３７の上面の一部が露出するようにされている。そして、この露出する部分には、引出溝３７ｃが形成されており、この引出溝３７ｃに工具の先端部などを係合させることで、ストッパ３７を引き出し可能としている。
【００６８】
以上のような構成を有するかしめ部３０を組み立てる際には、付勢部材３３、固着部材３４を凹部３２に収納した状態で、開口側から固着部材３４を凹部３２内に押し込み、開口部３８，３８に挿通したストッパ３７をかしめ部配設部２８に当接するまで押し込む。これによって、図５（ａ）に示すように、先端突起部３６ａがストッパ３７の係止溝３７ａに嵌って凹部３２内に係止された収納状態となる。
【００６９】
図４に示すように、第２ボックス形成部材４０に設けられたかしめ受部５０，５０，…は、右側の後部周囲壁４２における外側の面に一列に並んで４つ設けられており、後方収納部４３と同じ側（前方側）に開口する固着凹部５２を備えるかしめ受部本体５１と、該固着凹部５２の内部に収容された接着剤封入パッケージ５３と、該固着凹部５２の内周面に形成された係合受部５５とを備える。なお、本実施形態の遊技機１００では、かしめ受部５０，５０，…が４つ設けられているが、各かしめ受部５０の構成は同じであり、以下、一つのかしめ受部５０の構成について説明する。
【００７０】
固着凹部５２は第２ボックス形成部材４０の前後方向に沿って延在し、固着部３６を挿入可能な内径を有する円筒形の空間である。この固着凹部５２に収容された接着剤封入パッケージ５３は、固着凹部５２に挿入される固着部３６を接着する接着剤５４が封入されたものである。この接着剤５４としては、Ａ液５４ａとＢ液５４ｂの２種類の異なる液体が混合されることで硬化する２液性の接着剤５４を用いており、接着剤封入パッケージ５３は、中央の隔壁５３ａを境として一方にはＡ液５４ａが、他方にはＢ液５４ｂが封入されている。また、接着剤封入パッケージ５３は、第２ボックス形成部材４０の上下方向に沿ってＡ液５４ａとＢ液５４ｂが並んで配されるようになっている。
【００７１】
また、固着凹部５２の内周面であって固着凹部５２の上下に位置する部分には、固着凹部５２に挿入される固着部３６に形成された係合部３６ｂ，３６ｂと対応する位置に、係合受部５５，５５が形成されている。この係合受部５５，５５は、固着凹部５２の内周を拡幅するように形成された溝状の部分であるが、形成の都合上、図３に示すように、かしめ受部本体５１の外側の面に貫通するように形成されている。
【００７２】
以上のような構成を有するかしめ部３０、かしめ受部５０からなる固着手段６０における固着作業について説明する。この固着作業は、第１ボックス形成部材２０と第２ボックス形成部材４０を接合することで対向するように配されたかしめ部３０とかしめ受部５０において、かしめ部３０のストッパ３７をかしめ部配設部２８から離れる方向に引き出すことで完了するようになっている。
【００７３】
図５（ｂ）、図６（ａ）に示すように、かしめ部３０においては、付勢部材３３によって開口側へ付勢された固着部材３４が、凹部３２内で係止された収納状態となっている。この状態から、図５（ｃ）、図６（ｂ）に示すように、ストッパ３７をかしめ部配設部２８から離れる方向に引き出すと、先端突起部３６ａが係止溝３７ａから外れ、スライド方向に沿って配された固着部材挿通穴３７ｂと一致するようになる。そして、固着部材挿通穴３７ｂと一致することで先端突起部３６ａの係止が解除された固着状態となり、付勢部材３３によって開口方向に付勢された固着部材３４は、固着部３６が固着部材挿通穴３７ｂを通って開口から突出し、対向して配されたかしめ受部５０の固着凹部５２に挿入される。このとき、固着部材３４のベース部３５は固着部材挿通穴３７ｂを通過できずにストッパ３７のかしめ部３０側の面に当接し、固着部３６の突出幅を規制するようになっている。また、ストッパ３７により固着部材３４の一端が凹部３２側に保持されることとなるので、確実に固着することができる。
【００７４】
固着凹部５２に挿入された固着部３６は、先端突起部３６ａが接着剤封入パッケージ５３の封入を破壊し、流出した接着剤５４により接着されるとともに、係合部３６ｂ，３６ｂが係合受部５５，５５に係合する。これにより、第１ボックス形成部材２０に設けられたかしめ部３０の固着部３６と、第２ボックス形成部材４０に設けられたかしめ受部５０の固着凹部５２が固着され、第１ボックス形成部材２０と第２ボックス形成部材４０が固着されるようになっている。このように、固着部材３４の一端がストッパ３７によりかしめ部３０に保持され、他端が接着と係合によりかしめ受部５０に保持されることで、固着部材３４を介して第１ボックス形成部材２０と第２ボックス形成部材４０とが強固に固着されることとなる。
【００７５】
なお、上述したように固着部材３４は、常に先端突起部３６ａの頂点とその側方に突出する係合部３６ｂ，３６ｂが位置する平面が、第１ボックス形成部材２０の上下方向に沿った状態となるようにされている。これにより、先端突起部３６ａの二つの頂点が、上下に並んで配されたＡ液５４ａとＢ液５４ｂの封入をそれぞれ破壊して、確実に２液型の接着剤５４を硬化させることが可能となっている。また、係合部３６ｂ，３６ｂも固着凹部５２の上下に位置する部分に形成された係合受部５５，５５に確実に係合することが可能となっている。
【００７６】
以上のような構成を有する固着手段６０は、ストッパ３７を引き出すだけで固着作業が完了するので作業が容易である。また、未使用のかしめ部３０のストッパ３７は側方に突出し、固着に使用したかしめ部３０のストッパ３７は突出しない状態となることから使用したかしめ部３０を容易に確認でき、不正な操作が行われた場合には即座に発見することができる。
【００７７】
また、以上のように固着された第１ボックス形成部材２０と第２ボックス形成部材４０の固着を解除する場合は、かしめ部配設部２８と固着に使用されたかしめ部３０の連結部２９を切断することで解除する。すなわち、一度固着凹部５２に固着された固着部材３４は、外部から操作することができないので、基板ボックス１２を開封する際には、このように固着手段６０を不可逆的に破壊して開封する必要がある。これにより、基板ボックス１２が容易に開封できなくなるとともに開封された履歴が残るようになり、不正行為を防止できる。また、このように開封した後に再び固着する場合は、未使用のかしめ部３０を用いて上述した固着作業を行う。
【００７８】
以上のことから、遊技機１００の動作に関わる電気的制御を実行するための電子部品とコネクタ１３，１３，…を実装した遊技制御基板１１を内包する基板ボックス１２を備えた遊技機１００において、基板ボックス１２は、第１ボックス形成部材２０と、第２ボックス形成部材４０と、からなるとともに、第１ボックス形成部材２０と第２ボックス形成部材４０とを固着する固着手段６０を備え、固着手段６０は、第１ボックス形成部材２０から延設された連結部２９，２９，…を介して設けられるかしめ部３０，３０，…と、第２ボックス形成部材４０から延設された連結部４９，４９，…を介して設けられるかしめ受部５０，５０，…と、を有するとともに、かしめ部３０，３０，…とかしめ受部５０，５０，…とが固着状態とされた場合には、連結部を破壊しない限りその固着状態を解除することができないように構成され、かしめ部３０は、かしめ受部５０と対向する側に開口した凹部３２と、該凹部３２に収納され、開口からかしめ受部５０に向けて突出する固着部材３４と、該固着部材３４をかしめ受部５０へ向けて付勢する付勢部材３３と、凹部３２から外部に貫通する開口部３８，３８と、開口部３８，３８に配置され、付勢部材３３の付勢力に抗して固着部材３４を凹部３２内に収納状態に保持するストッパ３７と、を備え、かしめ受部５０は、かしめ部３０と対向する側に開口した固着凹部５２と、固着凹部５２の内周面に形成され、固着部材３４を固着する係合受部５５，５５と、を備え、固着部材３４は、係合受部５５，５５に係合可能な係合部３６ｂ，３６ｂを有し、第１ボックス形成部材２０と第２ボックス形成部材４０とを組み合わせ、凹部３２の開口と固着凹部５２の開口とを対向させた状態で、ストッパ３７が操作されて固着部材３４の収納状態が解除されると、付勢部材３３の付勢力により固着部材３４が固着凹部５２に突出し、当該固着凹部５２内において係合部３６ｂ，３６ｂが係合受部５５，５５に係合する固着状態とされることで、第１ボックス形成部材２０と第２ボックス形成部材４０とが固着されることとなる。
【００７９】
また、固着凹部５２に、接着剤５４が封入された接着剤封入パッケージ５３が収納される一方、固着部材３４には、接着剤封入パッケージ５３を破壊し得る先端突起部３６ａが形成され、ストッパ３７が操作されて固着部材３４の収納状態が解除された場合に、付勢部材３３の付勢力により固着部材３４が固着凹部５２に突出し、固着部材３４の先端突起部３６ａが接着剤封入パッケージ５３を破壊し、接着剤５４が固着凹部５２に流出することで固着部材３４が固着凹部５２に接着され、第１ボックス形成部材２０と第２ボックス形成部材４０とが固着されることとなる。
【００８０】
次に、図７を参照して、上述した遊技機の第１変形例について説明する。以下主に、上述の実施形態の遊技機と異なる部分について説明し、同様の部分については説明を省略する。
【００８１】
本変形例の遊技機におけるストッパ７０は、上述の実施形態における遊技機のストッパ３７とは逆に、図７（ｂ）に示すように、かしめ部３０の右端部から引き出された状態で収納状態を構成し、この状態から、図７（ｃ）に示すように、かしめ部配設部２８に当接するように押し込むことで固着状態となるようにされている。このような構成とするために係止溝７０ａは、ストッパ７０が引き出された状態で先端突起部３６ａと対応する位置に形成され、固着部材挿通穴７０ｂは、ストッパ７０をかしめ部配設部２８へ当接させる方向（左方向）へスライドさせることで先端突起部３６ａと一致するように、係止溝７０ａからスライド方向に沿って、かしめ部本体３１の右側へ突出する一端側に離れた位置に形成されている。
【００８２】
またストッパ７０には、収納状態においてかしめ部本体３１の右端部から引き出されて露出する部分に、下方へ突出し、側壁の外側の面に当接する仮止突起７２が設けられている。この仮止突起７２は、側壁の外側の面に当接することで収納状態におけるストッパ７０の位置を決めるものである。また、この仮止突起７２は、遊技機１００の設置時などに、かしめ部本体３１の右側へ突出したストッパ７０に誤って触れても固着状態に変換されないようにする機能も有する。この仮止突起７２はストッパ７０と一体に形成されているが折り取ることが可能であって、ストッパ７０はこの仮止突起７２を折り取ることで開口部３８を通過可能な状態となり、かしめ部配設部２８へ当接させる方向（左方向）へスライド可能となる。
【００８３】
このような構成を有するかしめ部３０を組み立てる際には、付勢部材３３、固着部材３４を凹部３２に収納した状態で開口側から固着部材３４を凹部３２内に押し込み、図７（ａ）に示すように、ストッパ７０を仮止突起７２が側壁の外側の面に当接するまで押し込む。これによって、先端突起部３６ａがストッパ７０の係止溝７０ａに嵌って凹部３２内に係止された収納状態となる。
【００８４】
そして、固着作業を行う際には、図７（ｂ）に示すように、仮止突起７２を折り取ってからストッパ７０を一端がかしめ部配設部２８に当接するまで押し込む。これによって、図７（ｃ）に示すように、固着部材挿通穴７０ｂと先端突起部３６ａが一致して固着状態となり、第１ボックス形成部材２０と第２ボックス形成部材４０とが固着される。また、ストッパ７０を押し込んだ状態ではかしめ部３０の外側面と面一になるので、かしめが完了した状態のストッパ３７に対して操作できなくなり、不正行為を防止することができる。
【００８５】
以上のことから、かしめ部３０，３０，…は、開口部３８，３８を第１ボックス形成部材２０におけるかしめ部３０が設けられた側面と交差する直線上に備え、ストッパ７０が第１ボックス形成部材２０の側面と交差する方向に沿ってスライド可能に構成され、ストッパ７０は、固着部材３４の先端部（固着部３６）を挿通可能な固着部材挿通穴７０ｂを備え、収納状態では、一端が第１ボックス形成部材２０の側面から離れて配設されるとともに他端がかしめ部３０の外側面から突出して配され、かつ、固着部材挿通穴７０ｂが先端突起部３６ａから退避した位置に配され、該収納状態から第１ボックス形成部材２０の側面へ向けてスライドさせることで、一端が第１ボックス形成部材２０の側面に当接するとともに他端がかしめ部３０の外側面と面一に配され、かつ、固着部材挿通穴７０ｂと先端突起部３６ａが一致して収納状態から固着状態に変換されるようにしたこととなる。
【００８６】
また、ストッパ７０は、切り離し可能な仮止突起７２をかしめ部３０の外側面に係合可能な位置に備えている。
【００８７】
次に、図８を参照して、上述した遊技機の第２変形例について説明する。以下主に、上述の実施形態の遊技機と異なる部分について説明し、同様の部分については説明を省略する。
【００８８】
図８（ｂ）に示すように、本変形例の遊技機におけるかしめ部３０，３０，…は、開口部３８，３８の貫通する方向が、第１ボックス形成部材２０の上下方向に沿うように形成され、この開口部３８，３８に挿通されるストッパ８０は、一列に並んで設けられた複数のかしめ部３０，３０，…にわたって配設されている。これによって、一つのストッパ８０で複数のかしめ部３０，３０，…の収納状態と固着状態を制御することができるようにされている。
【００８９】
図８（ａ）に示すように、ストッパ８０は、第１ボックス形成部材２０の右端部に沿って形成された４つのかしめ部３０，３０，…にわたって配設可能な長さを有し、各かしめ部３０の固着部材３４に対応する固着部材挿通穴８０ｂが所定の間隔をおいて４つ形成されている。そして、ストッパ８０は、第１ボックス形成部材２０の上下方向に沿ってスライドさせることで、固着部材挿通穴８０ｂと先端突起部３６ａが一致し固着状態に変換可能とされている。
【００９０】
この固着部材挿通穴８０ｂ，８０ｂ，…は、一列に並んだかしめ部３０，３０，…のうち、最も上側にあるかしめ部３０から順に固着状態に変換できるように、各固着部材３４の位置に対して、使用される順（配列順）に応じてずらした位置に配されている。このような固着部材挿通穴８０ｂ，８０ｂ，…の配置は、図８（ｂ）に示すように、最初に使用される（最も上側にある）固着部材挿通穴８０ｂが、対応する先端突起部３６ａと一致した固着状態にあるときに、二番目に使用される（上から二番目のかしめ部３０に対応する）固着部材挿通穴８０ｂが、固着作業に必要なスライド幅の分だけスライド方向手前側（上側）に位置するように形成されている。さらに、三番目に使用される固着部材挿通穴８０ｂは固着作業に必要なスライド幅の２倍の距離だけ、四番目に使用される固着部材挿通穴８０ｂは固着作業に必要なスライド幅の３倍の距離だけスライド方向手前側に形成されている。
【００９１】
以上のような構成を有するかしめ部３０，３０，…を組み立てる際には、各かしめ部３０の付勢部材３３、固着部材３４を凹部３２に収納した状態で、開口側から固着部材３４を凹部３２内に押し込んでストッパ８０を取り付け、固着部材３４が凹部３２内に係止された収納状態となるようにする。このとき、ストッパ８０の固着部材挿通穴８０ｂ，８０ｂ，…が、対応するかしめ部３０の固着部材３４に対して上側に位置するように配設することで、全てのかしめ部３０，３０，…において収納状態となる。
【００９２】
そして、固着作業は、第１ボックス形成部材２０と第２ボックス形成部材４０とを接合した状態で、ストッパ８０を下方向へスライドさせる。これにより、図８（ｂ）に示すように、一番上側のかしめ部３０において、係止されていた先端突起部３６ａと固着部材挿通穴８０ｂとが一致して固着状態となり、固着されることとなる。また、一番上側のかしめ部３０以外のかしめ部３０，３０，３０においては、対応する固着部材挿通穴８０ｂが固着作業に必要なスライド幅の距離以上離れて配されていることから、収納状態で維持されることとなる。
【００９３】
このように固着された第１ボックス形成部材２０と第２ボックス形成部材４０の固着を解除する場合は、まず、かしめ部配設部２８と固着に使用されたかしめ部３０の連結部２９を切断する。さらに、ストッパ８０の固着に使用されたかしめ部３０とこれに隣接する未使用のかしめ部３０との間に位置する部分を切断することで解除することができる。そして、再び固着する場合は、第１ボックス形成部材２０と第２ボックス形成部材４０とを接合した状態で、ストッパ８０を下方向に所定のスライド幅だけスライドさせることで、図８（ｃ）に示すように、上から二番目のかしめ部３０において固着状態となり固着される。
【００９４】
同様に、上から二番目のかしめ部３０での固着を解除した後に再び固着する場合は、第１ボックス形成部材２０と第２ボックス形成部材４０とを接合した状態で、ストッパ８０を下方向に所定のスライド幅だけスライドさせると、図８（ｄ）に示すように、三番目のかしめ部３０が固着される。さらに、三番目のかしめ部３０での固着を解除した後に再び固着する場合は、第１ボックス形成部材２０と第２ボックス形成部材４０とを接合した状態で、ストッパ８０を下方向に所定のスライド幅だけスライドさせると四番目のかしめ部３０が固着されるようになっている。
【００９５】
また、図８（ｅ）に示すように、ストッパ８０には隣接する固着部材挿通穴８０ｂ，８０ｂ，…の間に、固着を解除する際に切断する部分となる切断領域８１，８１，…が形成されている。この切断領域８１，８１，…は、ストッパ８０の上下面に溝状の切込み８１ａ，８１ａが形成されたものであって、これによってこの部分におけるストッパ８０の強度が減少し、切断しやすくなっている。このような切断領域８１，８１，…は、固着に使用したかしめ部３０とこれに隣接する未使用のかしめ部３０との間に配設されるような位置に形成されている。
【００９６】
さらに、ストッパ８０には隣接する固着部材挿通穴８０ｂ，８０ｂ，…の間にそれぞれ検出手段としてのＩＣタグ８３，８３，…が埋設され、固着を解除する際にストッパ８０が切断されるのに伴い破壊されるようになっている。なお、ＩＣタグ８３，８３，…は、切断領域８１，８１，…の近傍のみでなく、隣接する固着部材挿通穴８０ｂ，８０ｂ，…の間の全般にわたって埋設されており、切断領域８１，８１，…を避けて切断しても確実に破壊されるようになっている。このようにＩＣタグ８３，８３，…を設けることで、ＩＣタグリーダを用いれば容易にストッパ８０が切断されたことを検出できるようになり、不正行為を確実に発見することができる。
【００９７】
なお、検出手段はＩＣタグ８３，８３，…に限られるものではなく、例えば、隣接する固着部材挿通穴８０ｂ，８０ｂ，…の間にそれぞれ回路を埋設し、ストッパ８０が切断されるのに伴い破壊されるようにして、回路を流れる電流が遮断されることにより切断を検出するようにしても良い。
【００９８】
以上のことから、第１ボックス形成部材２０に複数のかしめ部３０，３０，…を設けるとともに、第２ボックス形成部材４０に複数のかしめ部３０，３０，…に対応する複数のかしめ受部５０，５０，…を設け、複数のかしめ部３０，３０，…は、開口部３８，３８が一直線上に並ぶように配列され、該開口部３８，３８に挿通されて複数のかしめ部３０，３０，…にわたって延在するストッパ８０を備え、ストッパ８０を所定量スライドすることで、一のかしめ部３０では固着状態に変換されるとともに、他のかしめ部３０では収納状態が維持されるようにしたこととなる。
【００９９】
また、ストッパ８０は、複数のかしめ部３０，３０，…の各々に配された固着部材３４に対応して複数設けられ、固着部材３４の先端部を挿通可能な固着部材挿通穴８０ｂ，８０ｂ，…と、隣接する固着部材挿通穴８０ｂ，８０ｂ，…の間に設けられ、固着に使用したかしめ部３０と該かしめ部３０に隣接した未使用のかしめ部３０との間に配される脆弱性を有する切断領域８１，８１，…と、を備え、所定量スライドすることで、一の固着部材挿通穴８０ｂと先端突起部３６ａが一致して収納状態から固着状態に変換されるとともに、他の固着部材挿通穴８０ｂと先端突起部３６ａは一致せず収納状態が維持されるように構成され、基板ボックス１２の固着を解除する際には、固着に使用したかしめ部３０に隣接する切断領域８１，８１，…を切断するようにしたこととなる。
【０１００】
また、ストッパ８０は、隣接するかしめ部３０，３０の間に位置する切断可能な部分に、切断されたことを検出するための検出手段（ＩＣタグ８３）を備えることとなる。
【０１０１】
なお、以上の実施の形態においては、遊技制御基板１１を収納する基板ボックス１２に固着手段６０を備えるとしたが、他の基板を収納するボックスにも固着手段６０を設けるようにしてもよい。また、接着剤５４は２液性の接着剤としたがこれに限られるものではなく、封入が破壊されてから比較的短時間で硬化するものであれば良い。
【０１０２】
以上のような遊技機１００は、遊技機１００の動作に関わる電気的制御を実行するための電子部品とコネクタ１３，１３，…を実装した遊技制御基板１１を内包する基板ボックス１２を備えた遊技機１００であって、基板ボックス１２は、第１ボックス形成部材２０と、第２ボックス形成部材４０と、からなるとともに、第１ボックス形成部材２０と第２ボックス形成部材４０とを固着する固着手段６０を備え、固着手段６０は、第１ボックス形成部材２０から延設された連結部２９，２９，…を介して設けられるかしめ部３０，３０，…と、第２ボックス形成部材４０から延設された連結部４９，４９，…を介して設けられるかしめ受部５０，５０，…と、を有するとともに、かしめ部３０，３０，…とかしめ受部５０，５０，…とが固着状態とされた場合には、連結部を破壊しない限りその固着状態を解除することができないように構成され、かしめ部３０は、かしめ受部５０と対向する側に開口した凹部３２と、該凹部３２に収納され、開口からかしめ受部５０に向けて突出する固着部材３４と、該固着部材３４をかしめ受部５０へ向けて付勢する付勢部材３３と、凹部３２から外部に貫通する開口部３８，３８と、開口部３８，３８に配置され、付勢部材３３の付勢力に抗して固着部材３４を凹部３２内に収納状態に保持するストッパ３７と、を備え、かしめ受部５０は、かしめ部３０と対向する側に開口した固着凹部５２と、固着凹部５２の内周面に形成され、固着部材３４を固着する係合受部５５，５５と、を備え、固着部材３４は、係合受部５５，５５に係合可能な係合部３６ｂ，３６ｂを有し、第１ボックス形成部材２０と第２ボックス形成部材４０とを組み合わせ、凹部３２の開口と固着凹部５２の開口とを対向させた状態で、ストッパ３７が操作されて固着部材３４の収納状態が解除されると、付勢部材３３の付勢力により固着部材３４が固着凹部５２に突出し、当該固着凹部５２内において係合部３６ｂ，３６ｂが係合受部５５，５５に係合する固着状態とされることで、第１ボックス形成部材２０と第２ボックス形成部材４０とが固着されるようにしている。
【０１０３】
したがって、固着部材３４を凹部３２内に収納状態に保持するストッパ３７を備え、該ストッパ３７が操作されて固着部材３４の収納状態が解除されることにより、第１ボックス形成部材２０と第２ボックス形成部材４０が固着されるので、容易に固着を行うことができ、作業の効率が向上する。また、このようにストッパ３７を操作するだけで固着作業が完了するので、第１ボックス形成部材２０と第２ボックス形成部材４０とを確実に固着することができ、不正行為を確実に防止できる。
【０１０４】
また、固着凹部５２に、接着剤５４が封入された接着剤封入パッケージ５３が収納される一方、固着部材３４には、接着剤封入パッケージ５３を破壊し得る先端突起部３６ａが形成され、ストッパ３７が操作されて固着部材３４の収納状態が解除された場合に、付勢部材３３の付勢力により固着部材３４が固着凹部５２に突出し、固着部材３４の先端突起部３６ａが接着剤封入パッケージ５３を破壊し、接着剤５４が固着凹部５２に流出することで固着部材３４が固着凹部５２に接着され、第１ボックス形成部材２０と第２ボックス形成部材４０とが固着されるようにしている。
【０１０５】
したがって、ストッパ３７が操作されて固着部材３４の収納状態が解除された場合に、固着部材３４が突出して接着剤封入パッケージ５３を破壊し、固着凹部５２内に接着されるのに加え、係合部３６ｂ，３６ｂが係合受部５５，５５に係合して固着凹部５２内に係止されることで第１ボックス形成部材２０と第２ボックス形成部材４０が固着されるので、強固なかしめが可能となり、不正行為を確実に防止できる。
【０１０６】
また、ストッパ３７は、収納状態で固着部材３４の先端突起部３６ａが当接する位置に係止溝３７ａを備えている。
【０１０７】
したがって、ストッパ３７は、収納状態で固着部材３４の先端突起部３６ａが当接する位置に係止溝３７ａを備えるので、ストッパ３７にわずかな力が加わっただけでは固着状態に変換されずに収納状態が保持されるので、遊技機１００の搬送時や設置時に誤って操作してしまうことを防止できる。
また、基板ボックス１２の製造時には、先端突起部３６ａが係止溝３７ａに嵌ることにより、その際の音や感触から収納状態になったことを確実に把握でき、作業の効率が向上する。
【０１０８】
また、かしめ部３０，３０，…は、開口部３８，３８を第１ボックス形成部材２０におけるかしめ部３０，３０，…が設けられた側面と交差する直線上に備え、ストッパ３７が第１ボックス形成部材２０の側面と交差する方向に沿ってスライド可能に構成され、ストッパ３７は、固着部材３４の先端部（固着部３６）を挿通可能な固着部材挿通穴３７ｂを備え、収納状態では、一端が第１ボックス形成部材２０の側面に当接するとともに他端がかしめ部３０の外側面と面一に配され、かつ、固着部材挿通穴３７ｂが先端突起部３６ａから退避した位置に配され、収納状態から第１ボックス形成部材２０の側面から離れる方向へスライドさせることで、固着部材挿通穴３７ｂと先端突起部３６ａが一致して収納状態から固着状態に変換されるようにしている。
【０１０９】
したがって、ストッパ３７は、収納状態では一端が第１ボックス形成部材２０の側面に当接するとともに他端がかしめ部３０の外側面と面一に配され、第１ボックス形成部材２０の側面から離れる方向へスライドさせることで、固着状態に変換されるので、単にストッパ３７に接触しただけでは固着状態に変換されず、誤って操作してしまうことを防止できる。
また、基板ボックス１２の製造時には、ストッパ３７を第１ボックス形成部材２０の側壁に当接するまで押し込めばよく、容易かつ確実に収納状態にセットできる。
【０１１０】
また、かしめ部３０，３０，…は、開口部３８，３８を第１ボックス形成部材２０におけるかしめ部３０が設けられた側面と交差する直線上に備え、ストッパ７０が第１ボックス形成部材２０の側面と交差する方向に沿ってスライド可能に構成され、ストッパ７０は、固着部材３４の先端部（固着部３６）を挿通可能な固着部材挿通穴７０ｂを備え、収納状態では、一端が第１ボックス形成部材２０の側面から離れて配設されるとともに他端がかしめ部３０の外側面から突出して配され、かつ、固着部材挿通穴７０ｂが先端突起部３６ａから退避した位置に配され、該収納状態から第１ボックス形成部材２０の側面へ向けてスライドさせることで、一端が第１ボックス形成部材２０の側面に当接するとともに他端がかしめ部３０の外側面と面一に配され、かつ、固着部材挿通穴７０ｂと先端突起部３６ａが一致して収納状態から固着状態に変換されるようにしている。
【０１１１】
したがって、ストッパ７０は、収納状態では一端が第１ボックス形成部材２０の側面から離れて配設されるとともに他端がかしめ部３０の外側面から突出して配され、第１ボックス形成部材２０の側面へ向けてスライドさせることで、一端が第１ボックス形成部材２０の側面に当接するとともに他端がかしめ部３０の外側面と面一に配されて固着状態に変換されるので、単に押し込むだけでかしめが完了するので作業性が良い。
また、ストッパ７０を押し込んだ状態ではかしめ部３０の外側面と面一になるので、かしめが完了した状態のストッパ３７に対して操作できなくなり、不正行為を防止することができる。
【０１１２】
また、ストッパ７０は、切り離し可能な仮止突起７２をかしめ部３０の外側面に係合可能な位置に備えている。
【０１１３】
したがって、ストッパ７０は、切り離し可能な仮止突起７２をかしめ部３０の外側面に係合可能な位置に備えるので、仮止突起７２を切り離さなければ固着状態に変換できないようになり、遊技機１００の搬送時や設置時に誤って操作してしまうことを防止できる。
また、仮止突起７２が切り離されたことから、何らかの操作が行われたことを確認でき、不正行為の早期発見が可能となる。
【０１１４】
また、第１ボックス形成部材２０に複数のかしめ部３０，３０，…を設けるとともに、第２ボックス形成部材４０に複数のかしめ部３０，３０，…に対応する複数のかしめ受部５０，５０，…を設け、複数のかしめ部３０，３０，…は、開口部３８，３８が一直線上に並ぶように配列され、該開口部３８，３８に挿通されて複数のかしめ部３０，３０，…にわたって延在するストッパ８０を備え、ストッパ８０を所定量スライドすることで、一のかしめ部３０では固着状態に変換されるとともに、他のかしめ部３０では収納状態が維持されるようにしている。
【０１１５】
したがって、ストッパ８０を所定量スライドすることで、一のかしめ部３０では固着状態に変換されるとともに、他のかしめ部３０では収納状態が維持されるようにしたので、複数のかしめ部３０，３０，…を一つのストッパ８０の操作により適切に制御でき、操作性に優れる。
【０１１６】
また、ストッパ８０は、複数のかしめ部３０，３０，…の各々に配された固着部材３４に対応して複数設けられ、固着部材３４の先端部を挿通可能な固着部材挿通穴８０ｂ，８０ｂ，…と、隣接する固着部材挿通穴８０ｂ，８０ｂ，…の間に設けられ、固着に使用したかしめ部３０と該かしめ部３０に隣接した未使用のかしめ部３０との間に配される脆弱性を有する切断領域８１，８１，…と、を備え、所定量スライドすることで、一の固着部材挿通穴８０ｂと先端突起部３６ａが一致して収納状態から固着状態に変換されるとともに、他の固着部材挿通穴８０ｂと先端突起部３６ａは一致せず収納状態が維持されるように構成され、基板ボックス１２の固着を解除する際には、固着に使用したかしめ部３０に隣接する切断領域８１，８１，…を切断するようにしている。
【０１１７】
したがって、ストッパ８０は、固着に使用したかしめ部３０と該かしめ部３０に隣接した未使用のかしめ部３０との間に配される脆弱性を有する切断領域８１，８１，…を備えるので、容易に切断することができる。
また、基板ボックス１２の固着を解除する際には、固着に使用したかしめ部３０に隣接する切断領域８１，８１，…を切断するようにしたので、固着作業が容易かつ確実になる。すなわち、一の固着部材挿通穴８０ｂが固着状態にあるときは、他の固着部材挿通穴８０ｂは収納状態にあり、切断領域８１，８１，…を切断してストッパ８０を操作するまでは他の固着部材挿通穴８０ｂが固着状態に変換されることはなく、固着作業時に複数のかしめ部が固着されてしまうことなどを防止できる。また、ストッパ８０のスライド幅を規制する部材を設ける必要がないため構成が簡略化される。
【０１１８】
また、隣接するかしめ部３０，３０の間に位置する切断可能な部分に、切断されたことを検出するための検出手段（ＩＣタグ８３）を備えている。
【０１１９】
したがって、不正なストッパ８０の切断を早期に発見でき、被害を未然に防ぐことができる。また、係員が目視で確認しにくい部分を切断されても確実に切断されたことを発見できる。
【０１２０】
なお、本発明の遊技機１００は、遊技機として、前記実施の形態に示されるようなパチンコ遊技機に限られるものではなく、例えば、その他のパチンコ遊技機、アレンジボール遊技機、雀球遊技機、パチスロ遊技機などの制御基板を備える全ての遊技機に適用可能である。
【０１２１】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２２】
【図１】本発明を適用した一実施の形態の構成を示す遊技機の裏面図である。
【図２】遊技制御装置の正面図である。
【図３】遊技制御装置の前面側から見た分解斜視図である。
【図４】遊技制御装置の固着手段が設けられた側面から見た分解斜視図である。
【図５】図２に示す遊技制御装置のＡ−Ａ断面を示す図であって、（ａ）第１ボックス形成部材と第２ボックス形成部材とを接合する様子を示す図、（ｂ）収納状態を示す図、（ｃ）固着状態を示す図である。
【図６】図２に示す遊技制御装置のＢ−Ｂ断面を示す図であって、（ａ）収納状態を示す図、（ｂ）固着状態を示す図である。
【図７】第１変形例の遊技機における、図２に示す遊技制御装置のＡ−Ａ断面と同じ断面を示す図であって、（ａ）第１ボックス形成部材と第２ボックス形成部材とを接合する様子を示す図、（ｂ）収納状態を示す図、（ｃ）固着状態を示す図である。
【図８】第２変形例の遊技機における図であって、（ａ）ストッパの側部断面図、（ｂ）図２に示す遊技制御装置のＢ−Ｂ断面と同じ断面を示す図であって、一つ目の固着手段が固着された図である。（ｃ）図２に示す遊技制御装置のＢ−Ｂ断面と同じ断面を示す図であって、二つ目の固着手段が固着された図である。（ｄ）図２に示す遊技制御装置のＢ−Ｂ断面と同じ断面を示す図であって、三つ目の固着手段が固着された図である。（ｅ）図２に示す遊技制御装置のＢ−Ｂ断面と同じ断面を示す図であって、隣接するかしめ部の間を示す図である。
【符号の説明】
【０１２３】
１１    遊技制御基板
１２    基板ボックス
１３    コネクタ
２０    第１ボックス形成部材
２９    連結部
３０    かしめ部
３２    凹部
３３    付勢部材
３４    固着部材
３６    固着部（先端部）
３６ａ  先端突起部
３６ｂ  係合部
３７    ストッパ
３７ａ  係止溝
３７ｂ  固着部材挿通穴
３８    開口部
４０    第２ボックス形成部材
４９    連結部
５０    かしめ受部
５２    固着凹部
５３    接着剤封入パッケージ
５４    接着剤
５５    係合受部
６０    固着手段
７０    ストッパ
７０ｂ  固着部材挿通穴
７２    仮止突起
８０    ストッパ
８０ｂ  固着部材挿通穴
８１    切断領域
８３    ＩＣタグ（検出手段）
１００  遊技機
【図１】
0004563969.tif 000002
【図２】
0004563969.tif 000003
【図３】
0004563969.tif 000004
【図４】
0004563969.tif 000005
【図５】
0004563969.tif 000006
【図６】
0004563969.tif 000007
【図７】
0004563969.tif 000008
【図８】
0004563969.tif 000009